(57)【要約】【課題】学部材から異物が除去されたかを確認可能な撮像装置を提供する。【解決手段】本発明の撮像装置は、撮像素子３の被写体側に配置されたＬＰＦ２に付着した異物の付着状況を検出する検出部４ａと、該検出部４ａにより検出された前記異物の付着状況に関する検出結果を記憶する記憶部４ｂと、前記検出部４ａが第１の検出と該第１の検出よりも後の第２の検出とを行った場合、前記第１の検出時に前記記憶部４ｂに記憶された第１の検出結果と前記第２の検出時に前記記憶部４ｂに記憶された第２の検出結果とを互いに比較する比較部４ｃと、該比較部４ｃの比較結果を表示する表示部６と、を備えることを特徴とする。【選択図】図１
2010109516.tif 000002
【特許請求の範囲】
【請求項１】
撮像素子の被写体側に配置された光学部材に付着した異物の付着状況を検出する検出部と、
前記検出部により検出された前記異物の付着状況に関する検出結果を記憶する記憶部と、
前記検出部が第１の検出と該第１の検出よりも後の第２の検出を行った場合、前記第１の検出時に前記記憶部に記憶された第１の検出結果と前記第２の検出時に前記記憶部に記憶された第２の検出結果とを互いに比較する比較部と、
前記比較部の比較結果を表示する表示部と、
を備えることを特徴とする撮像装置。
【請求項２】
請求項１に記載の撮像装置であって、
前記表示部は、前記光学部材上における異物の位置を二次元的に示すこと、
を特徴とする撮像装置。
【請求項３】
請求項１または２に記載の撮像装置であって、
前記表示部は、前記第１の検出結果と前記第２の検出結果との両方に存在する異物を他の異物とを区別して表示すること、
を特徴とする撮像装置。
【請求項４】
請求項１から３までのいずれか１項に記載の撮像装置であって、
前記表示部は、前記第１の検出結果に存在せずに前記２の検出結果に存在する異物を、他の異物と異なるように区別して表示すること、
を特徴とする撮像装置。
【請求項５】
請求項１から４までのいずれか１項に記載の撮像装置であって、
前記表示部は、前記第１の検出結果に異物が存在していたが、前記第２の検出結果において該異物が存在しない場合、該異物が存在していた位置を他の異物と異なるように区別して表示すること、
を特徴とする撮像装置。
【請求項６】
請求項１から５までのいずれか１項に記載の撮像装置であって、
前記表示部は、前記第１の検出結果に存在していた異物が、前記第２の検出結果において移動している場合、該異物の移動方向を表示すること、
を特徴とする撮像装置。
【請求項７】
請求項１から６までのいずれか１項に記載の撮像装置であって、
前記光学部材を振動させて該光学部材に付着している異物を除去する異物除去装置を備え、該異物除去装置は、前記第１の検出と前記第２の検出の間に、前記光学部材を振動させること、
を特徴とする撮像装置。
【発明の詳細な説明】
【技術分野】
【０００１】
本発明は、撮像素子の被写体側に配置された光学部材に付着した異物の付着を検出可能な撮像装置に関するものである。
【背景技術】
【０００２】
従来、撮像素子の被写体側に配置された光学部材に付着した異物の位置を記憶する記憶部と、光学部材を振動させる振動部と、記憶部に記憶された異物の位置に基づいて振動部振動状態を制御する制御部とを備える撮像装置が存在する（例えば、特許文献１参照）。この撮像装置は、異物の位置に応じて最適に異物を除去することのできる振動を発生させ、異物除去の効率を向上させている。
【特許文献１】特開２００８−５０５８号公報
【発明の開示】
【発明が解決しようとする課題】
【０００３】
しかし、上述の撮像装置は、光学部材から異物が除去されたかどうかを確認することはできない。
【０００４】
本発明の課題は、光学部材から異物が除去されたかを確認可能な撮像装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、撮像素子（３）の被写体側に配置された光学部材（２）に付着した異物の付着状況を検出する検出部（４ａ）と、前記検出部（４ａ）により検出された前記異物の付着状況に関する検出結果を記憶する記憶部（４ｂ）と、前記検出部（４ａ）が第１の検出と該第１の検出よりも後の第２の検出を行った場合、前記第１の検出時に前記記憶部（４ｂ）に記憶された第１の検出結果と前記第２の検出時に前記記憶部（４ｂ）に記憶された第２の検出結果とを互いに比較する比較部（４ｃ）と、前記比較部（４ｃ）の比較結果を表示する表示部（６）と、を備えることを特徴とする撮像装置（１０）である。
請求項２に記載の発明は、請求項１に記載の撮像装置（１０）であって、前記表示部（６）は、前記光学部材（２）上における異物の位置を二次元的に示すこと、を特徴とする撮像装置（１０）である。
請求項３に記載の発明は、請求項１または２に記載の撮像装置（１０）であって、前記表示部（６）は、前記第１の検出結果と前記第２の検出結果との両方に存在する異物を他の異物とを区別して表示すること、を特徴とする撮像装置（１０）である。
請求項４に記載の発明は、請求項１から３までのいずれか１項に記載の撮像装置（１０）であって、前記表示部（６）は、前記第１の検出結果に存在せずに前記２の検出結果に存在する異物を、他の異物と異なるように区別して表示すること、を特徴とする撮像装置（１０）である。
請求項５に記載の発明は、請求項１から４までのいずれか１項に記載の撮像装置（１０）であって、前記表示部（６）は、前記第１の検出結果に異物が存在していたが、前記第２の検出結果において該異物が存在しない場合、該異物が存在していた位置を他の異物と異なるように区別して表示すること、を特徴とする撮像装置（１０）である。
請求項６に記載の発明は、請求項１から５までのいずれか１項に記載の撮像装置（１０）であって、前記表示部（６）は、前記第１の検出結果に存在していた異物が、前記第２の検出結果において移動している場合、該異物の移動方向を表示すること、を特徴とする撮像装置（１０）である。
請求項７に記載の発明は、請求項１から６までのいずれか１項に記載の撮像装置（１０）であって、前記光学部材（２）を振動させて該光学部材（２）に付着している異物を除去する異物除去装置（５）を備え、該異物除去装置（５）は、前記第１の検出と前記第２の検出の間に、前記光学部材（２）を振動させること、を特徴とする撮像装置（１０）である。
なお、符号を付して説明した構成は、適宜改良してもよく、また、少なくとも一部を他の構成物に代替してもよい。
【発明の効果】
【０００７】
本発明によれば、光学部材から異物が除去されたかを確認可能な撮像装置を提供することができる。
【発明を実施するための最良の形態】
【０００８】
以下、図面等を参照して、本発明の一実施形態について説明する。図１は、本発明の撮像装置の一実施形態に係る一眼レフ電子カメラ（以下、電子カメラという）１０及びそのカメラ１０に着脱可能なレンズ鏡筒２０の構成を略示するブロック図である。
【０００９】
レンズ鏡筒２０は、その内部に撮影光学系１を備える。撮影光学系１は複数のレンズ群から構成されるが、図１においては代表として１枚のレンズで表す。
【００１０】
カメラ１０は、ＣＰＵ４と、レンズ鏡筒２０の光軸Ａに対して垂直に配置された撮像素子３と、その撮像素子３の被写体側に配置されたローパスフィルター（ＬＰＦ）２と、ＬＰＦ２を振動させる振動装置５と、を備える。ＣＰＵ４は、撮像素子３に接続された検出部４ａと、この検出部４ａの出力信号を記憶する記憶部４ｂと、その記憶部４ｂに接続された比較部４ｃと、を備える。
【００１１】
検出部４ａは、カメラ１０が、後述する異物確認モードに設定された場合、まず、異物検出用画像を取得するために、撮影者に白色壁面や青空といった無模様の画像を撮影するように指示し、無限もしくは至近位置に合焦した状態で撮影されたこの無模様の画像を取得する部分である。ＬＰＦ２に異物が付着していると、この異物検出用画像として取得された取得画像には、その異物の影が映し込まれる、これによりＬＰＦ２に付着した異物の付着状況を検出することが可能となる。
【００１２】
記憶部４ｂは、検出部４ａの検出結果である取得画像を記憶する部分である。また、比較部４ｃは、記憶部４ｂに格納された画像データを順次読み出すとともに、画像データ同士を比較する部分である。
【００１３】
表示部６は、検出部４ａにより取得された取得画像を表示部６に表示可能であるとともに、各種設定を行うメニュー画面や、撮影後の画像の表示が可能となっている。
【００１４】
振動装置５は、ＬＰＦ２を保持する部材（図示せず）に接続された振動素子（図示せず）を含んでいる。振動素子は、印加電圧に応じて振動し、この振動により、ＬＰＦ２が振動されてＬＰＦ２に付着している異物を除去する。
【００１５】
次に、図２を参照して、本実施形態に係るカメラ１０における異物検出動作を詳細に説明する。まず、撮影者によりカメラ１０の表示部６に表示されるメニュー画面より「異物確認モード」が選択されると、異物確認動作がスタートする(ステップ１０）。
この異物確認動作がスタートすると、カメラ１０は、まず、異物検出用画像が取得された回数を示すＮを初期値「Ｎ＝０」として（ステップ１１）、異物検出用画像取得を開始する(ステップ１２）。
【００１６】
異物検出用画像取得において検出部４ａは、上述のように、撮影者に無模様の画像を撮影するように指示し、無模様画像を取得した場合、この取得画像を検出結果として記憶部４ｂに送り、保存する。
【００１７】
次いで、検出部４ａは、異物検出処理を行う(ステップ１３）。すなわち、取得画像に異物が存在するか否かを確認、異物が存在しなければ（ステップ１４，Nｏ）、表示部６に「異物なし」と表示し（ステップ２２）、異物検出確認動作を終了する（ステップ２３）。
【００１８】
異物が存在する場合（ステップ１４，Ｙｅｓ）、その異物が存在する画像が１回目の異物検出用画像取得において取得された画像か否か、すなわち「Ｎ＝０？」を判断する(ステップ１５）。
【００１９】
ここで、１回目の異物検出用画像取得において取得された画像の場合、Ｎ＝Ｎ＋１として(ステップ１６）、異物除去動作を行う（ステップ１７）。異物除去動作では、上述のようにＣＰＵ４からの指示により、振動装置５を動作させ、ＬＰＦ２を加振させる。その後、ステップ１２に戻り、上述したステップを繰り返す。
【００２０】
ステップ１５で、異物検出用画像取得が行われた回数を示すＮが０でない、すなわち「Ｎ＝０？」がＮｏの場合とは、上述のステップ１７での異物除去作業を行う前に取得された既得の異物検出用画像（第１の検出結果）が存在している場合である。このとき、記憶部４ｂから第１の検出結果及び今回の異物検出用画像（第２の検出結果）を呼び出し、比較部４ｃにおける比較が行われる(ステップ１８）。
【００２１】
そして、表示部６に「異物除去動作前後の異物の変化」を表示する（ステップ１９）。図３は、液晶パネル表示部６の表示画面の一例を示している。これは、第１の検出結果と、第２の検出結果との比較結果を示す画面である。点線の丸印は、第１の検出において存在していたが第２の検出では存在しない異物の位置を表し、黒丸印は、第１の検出及び第２の検出の両方に存在する異物を表し、白丸印は、第１の検出では存在しなかったが第２の検出で新たに見付かった異物を表す。
【００２２】
このように、第１の検出と第２の検出との間の比較結果を表示することにより、ＬＰＦ２から異物が除去されたか否か、ゴミの位置、個数、新ゴミの発生やゴミの移動を確認することができる。
【００２３】
その後、異物除去動作を継続するか否かの判断を撮影者に求め(ステップ２０）、Ｎｏであれば異物検出確認動作を終了する（ステップ２３）。
Ｙｅｓであれば、再度、異物除去動作を開始し、ＣＰＵ４の指令により振動装置５を動作させ、ＬＰＦ２を加振させる（ステップ２１）。その後、ステップ１２に戻って異物検出用画像の取得が行われ、上述したステップが繰り返される。
【００２４】
以上のような動作を繰返し行うことにより、異物が順調に除去されつつある場合には、表示部６において、図３に点線丸印で示す異物の痕跡数が増してゆく。しかし、異物除去動作をＣＰＵ４に設定した所定回数繰り返しても、黒丸印の数及び位置が同じなら、別の人為的手段に依拠しなければ除去困難と判断して、最終的に異物除去動作を打ち切ることができる。
【００２５】
以上、本実施形態によると、以下の効果を有する。
（１）本実施形態のカメラ１０は、撮像素子３の被写体側に配置されたＬＰＦ２に付着した異物の付着状況を検出する検出部４ａと、検出部４ａにより検出された異物の付着状況に関する検出結果を記憶する記憶部４ｂと、検出部４ａが第１の検出と該第１の検出よりも後の第２の検出とを行った場合、第１の検出時に記憶部４ｂに記憶された第１の検出結果と第２の検出時に記憶部４ｂに記憶された第２の検出結果とを互いに比較する比較部４ｃと、その比較部４ｃの比較結果を表示する表示部６とを備えるので、異物が除去されたかどうかを確実に確認することができる。
（２）この撮像装置において、表示部６は、ＬＰＦ２上における異物を二次元的に示すことができるので、異物の存在だけでなく、その位置、個数も容易に確認することができる。
（３）表示部６は、第１の検出結果と第２の検出結果との両方に存在する異物を他の異物とを区別して表示することができるので、異物が除去しうるものか否か容易に判断できる。
（４）また、表示部６は、第１の検出結果に存在せずに２の検出結果に存在する異物を、他の異物と異なるように区別して表示するので、新たな異物がＬＰＦ２上に付着したか否か容易に確認することができる。
（５）更に、表示部６は、第１の検出結果に異物が存在していたが、第２の検出結果においてその異物が存在しない場合、その異物が存在していた位置を他の異物と異なるように区別して表示することができる。
（６）本実施形態のカメラ１０は、ＬＰＦ２を振動させてそのＬＰＦ２に付着している異物を除去する振動装置５を備えている。振動装置５は、第１の検出と第２の検出の間に、ＬＰＦ２を振動させるようになっているので、ＬＰＦ２に付着していた異物を容易に除去することができ、しかも異物の除去を容易に確認することができる。
【００２６】
（変形形態）
以上、説明した実施形態に限定されることなく、以下に示すような種々の変形や変更が可能であり、それらも本発明の範囲内である。
（１）本実施形態では、検出した異物を表示部上の印の種類により識別可能としていたが、色分け表示してもよい（例えば、除去済みの異物を緑、新しい異物を赤、未除去の異物を黒）。また、異物の大きさや形状を表示してもよい。また、異物の表示の仕方については、カメラ１０のメニュー画面で選択可能にしてもよい。
（２）異物を特定可能で、第２の検出結果において第１の検出結果の際に存在していた異物の移動を確認することができる場合、その移動方向を、例えば矢印で示すようにしてもよい。
（３）また、本実施形態では、ＬＰＦに付着した異物の除去を振動装置５の動作により行っている。しかし、これに限らず、レンズ鏡筒２０をカメラ１０より取り外し、手作業により異物を一つ一つ除去していくようにしてもよい。また、カメラ１０自体を手で振ることによりＬＰＦに付着した異物を除去するようにしてもよい。
（４）異物除去動作を複数回行う場合、その都度、ＬＰＦ２を保持する部材に接続された振動装置５の振動素子に印加される電圧及び／又は時間を変えることにより、振動に強弱をつけてもよい。また、検出された異物の位置等を考慮して振動波形を変え、異物を除去し易いようにしてもよい。
（５）本実施形態では、連続する２回の検出結果を重ね合わせて表示部に表示しているが、連続する３回以上の検出結果を積算して表示するようにしてもよい。また、連続する３回以上の検出結果のうち、最初と最後の検出結果を表示するようにしてもよい。
なお、実施形態及び変形形態は、適宜組み合わせて用いることもできるが、詳細な説明は省略する。また、本発明は以上説明した実施形態によって限定されることはない。
【図面の簡単な説明】
【００２７】
【図１】本発明の実施形態に係る、カメラの構成を略示するブロック図である。
【図２】実施形態のカメラの動作を示すフローチャート図である。
【図３】実施形態のカメラにおける表示部を示す図である。
【符号の説明】
【００２８】
２：ＬＰＦ、３：撮像素子、４ａ：検出部、４ｂ：記憶部、４ｃ：比較部、５：振動装置、６：表示部
【図１】
2010109516.tif 000003
【図２】
2010109516.tif 000004
【図３】
2010109516.tif 000005